(57)【要約】【課題】アイコンで、電波接続状態のアイコン表示に加え、各無線ＬＡＮ規格等の無線通信規格を色又は文字や記号等で視覚的に表示させること。【解決手段】情報を表示する制御を行う表示制御手段４と、通信の制御を行う通信制御手段６とを備える通信装置のアイコン表示方法であって、前記通信制御手段６で検出した無線ネットワークの電波接続状態と使用中の無線通信規格を、前記表示制御手段４で一つのアイコンを使用して表示する。【選択図】図１
2009290695.tif 000002
【特許請求の範囲】
【請求項１】
情報を表示する制御を行う表示制御手段と、
通信の制御を行う通信制御手段とを備える通信装置で実行されるアイコン表示方法であって、
前記通信制御手段で検出した無線ネットワークの電波接続状態と使用中の無線通信規格を、前記表示制御手段で一つのアイコンを使用して表示することを特徴としたアイコン表示方法。
【請求項２】
前記通信装置は、複数の無線通信規格を使用可能であり、
前記表示制御手段で無線ネットワークの前記電波接続状態をアンテナ形状の変化によるアイコンで表示し、前記無線通信規格に応じて前記アンテナ形状の変化によるアイコン表示の色を変えることを特徴とした請求項１記載のアイコン表示方法。
【請求項３】
情報を表示する制御を行う表示制御手段と、
通信の制御を行う通信制御手段とを備える通信装置であって、
前記通信制御手段で検出した無線ネットワークの電波接続状態と使用中の無線通信規格を、前記表示制御手段で一つのアイコンを使用して表示することを特徴とした通信装置。
【請求項４】
無線ネットワークの電波接続状態と無線通信規格を検出する通信制御手段と、
前記無線ネットワークの電波接続状態と使用中の前記無線通信規格を一つのアイコンを使用して表示する表示制御手段として
コンピュータを機能させるためのプログラム。
【発明の詳細な説明】
【技術分野】
【０００１】
本発明は、無線ＬＡＮ（Local Area Network）等の電波接続状態と無線通信規格の状態通知を行なうための通信装置におけるアイコン表示方法、通信装置及びプログラムに関する。
【背景技術】
【０００２】
従来の無線通信機器である通信装置においては、デスクトップ右下等の通知領域に登録されている常駐プログラムであるドライバユーティリティのアイコン（常駐アイコン）には、電波状態の強弱、未接続及び接続状態の表示しかされていない。このため、このアイコンでは、どの無線ＬＡＮ規格で接続しているのか判別する手段が無かった（例えば、特許文献１参照）。
【０００３】
図４は従来例の説明図である。図４において、従来のアイコンの種々のアンテナ状態を示している。１番上の電波環境が良好な状態のアンテナ状態は、４本のアンテナ全てが鮮やかなグリーンで表示されている。上から２番目の電波環境が普通の状態のアンテナ状態は、３本のアンテナが鮮やかなグリーンで表示され、１本が白色で表示されている。上から３番目の電波環境が弱い状態、又は、電波が干渉しているアンテナ状態は、２本のアンテナ（小さい２本）が黄色で表示され、他の２本が白色で表示されている。上から４番目の無線ＬＡＮ接続していないアンテナ状態は、４本の全てのアンテナがグレーで表示されている。上から５番目の電波が停止しているアンテナ状態は、４本のアンテナ上に停止マークが表示されている。
【０００４】
また、従来、どの無線ＬＡＮ規格で接続しているかを知るためには、何回かの操作を行いドライバユーティリティを開いて調べることはできた（例えば、特許文献２参照）。
【特許文献１】特開２００７−１４２８３９号公報
【特許文献２】特開２００４−１３５１３３号公報
【発明の開示】
【発明が解決しようとする課題】
【０００５】
上記従来のものは、次のような課題があった。
【０００６】
従来のアイコン表示では、電波状態表示に加え、無線ＬＡＮ規格を視覚的に判別することが出来なかった。このため、接続している無線ＬＡＮ規格を知るためには、何回かの操作を行ってドライバユーティリティを開く必要があり、この操作はユーザにとってはストレスとなっていた。
【０００７】
ここで説明する通信装置のアイコン表示では、デスクトップ右下等の通知領域に登録されているドライバユーティリティの従来の電波接続状態のアイコン表示に加え、各無線ＬＡＮ規格等の無線通信規格毎に異なる色又は文字や記号等で、視覚的に表示させることを目的とする。
【課題を解決するための手段】
【０００８】
図１は通信装置の説明図である。図１において、１は制御部（制御手段）、２は記憶部（格納手段）、３は操作部（入力手段）、４は表示制御部（表示制御手段）、５は表示部、６は通信制御部（通信制御手段）、７はアンテナである。
【０００９】
この通信装置のアイコン表示では、次のような手段を有する。
【００１０】
情報を入力する入力手段３と、情報を表示する制御を行う表示制御手段４と、通信の制御を行う通信制御手段６とを備える通信装置で実行されるアイコン表示方法であって、前記通信制御手段６で検出した無線ネットワークの電波接続状態と使用中の無線通信規格を、前記表示制御手段４で一つのアイコンを使用して表示する。このため、一つのアイコンで、従来の電波状態のアイコン表示に加え、各無線ＬＡＮ規格等の無線通信規格を色又は文字や記号等で、視覚的に表示させることができる。
【発明の効果】
【００１１】
ユーザは、一つのアイコンで、電波状態と使用中の無線通信規格を色又は文字や記号等で、視覚的に把握することができる。
【発明を実施するための最良の形態】
【００１２】
無線通信装置等の通信装置であるパーソナルコンピュータでは、デスクトップ画面の右下等の通知領域に、ドライバユーティリティがアイコン表示を行うものがある。このアイコン表示で各無線ＬＡＮ規格毎に異なる表示を行うことで、無線ＬＡＮに於ける電波・接続状態表示のほか、現接続の無線ＬＡＮ規格を視覚的に表示・通知することができるようにするものである。
【００１３】
（１）：通信装置の説明
図１は通信装置の説明図である。図１において、通信装置には、制御部１とバス等で接続された記憶部２、操作部３、表示制御部４、通信制御部６、及び、表示制御部４と接続された表示部５、通信制御部６と接続されたアンテナ７が設けてある。
【００１４】
制御部１は、通信装置全体の制御を行う制御手段である。記憶部２は、情報を記憶する記憶手段（格納手段）である。操作部３は、通信装置の操作を行う操作手段であり、キーボード、マウス等の情報を入力して入力手段を備えるものである。表示制御部４は、表示部５の表示制御を行う表示制御手段である。通信制御部６は、アンテナ７より無線ネットワークのアクセスポイントと接続して無線通信の制御を行う通信制御手段である。表示部５は、情報の表示を行う表示手段である。アンテナ７は、電波を使用して通信を行うためのアンテナである。
【００１５】
この通信装置では、通信制御部６に無線ＬＡＮ規格を判定させる機能を設けることにより、アンテナ７より受信した電波から、表示制御部４で従来の電波強度のみならず、無線ＬＡＮ規格の表示を行うことができる。
【００１６】
（２）：アイコン表示の説明
本通信装置は、無線ＬＡＮドライバユーティリティにおいて取得した無線ＬＡＮ規格に関する情報（無線ＬＡＮの接続情報）からタスクトレイにあるドライバユーティリティアイコンで表示させることにより、視覚的にどの無線ＬＡＮ規格で接続しているかを簡単に判別可能にする。この場合、従来の電波強度情報はそのまま使用し、各無線ＬＡＮ規格に関する情報について、色情報と無線ＬＡＮ規格を文字で表示させる（アイコンは文字と一体型の図形）ことで実現する。
【００１７】
図２はアイコン表示の説明図である。図２において、無線ＬＡＮ規格として、IEEE802.11b 、IEEE802.11g 、IEEE802.11a 、IEEE802.11n の４つの規格が示されている。無線ＬＡＮ規格「IEEE802.11b 」は、使用周波数帯が２．４ＧＨｚで、最大通信速度が１１Ｍｂｐｓである。無線ＬＡＮ規格「IEEE802.11g 」は、使用周波数帯が２．４ＧＨｚで、最大通信速度が５４Ｍｂｐｓである。無線ＬＡＮ規格「IEEE802.11a 」は、使用周波数帯が５．２ＧＨｚで、最大通信速度が５４Ｍｂｐｓである。無線ＬＡＮ規格「IEEE802.11n 」は、使用周波数帯が２．４ＧＨｚと５．２ＧＨｚの２つを使用（IEEE802.11g とIEEE802.11a を両方使用可能）で、最大通信速度が３００Ｍｂｐｓである。
【００１８】
図２の右側に無線ＬＡＮ規格に対応したアイコンの表示例を示している。このアイコン表示の無線ＬＡＮ規格「IEEE802.11b 」の電波環境（電波接続状態）が良好な状態(1) では、４本のアンテナのアイコンが全て鮮やかなグリーンで表示されており、無線ＬＡＮ規格の文字「１１ｂ」が表示されている。次の電波環境が普通の状態のアンテナ状態(2) では、３本のアンテナが鮮やかなグリーンで他の１本が白色で表示され、無線ＬＡＮ規格の文字「１１ｂ」が表示されている。次の電波環境が弱い状態、又は、電波が干渉しているアンテナ状態(3) では、２本のアンテナ（小さい２本）が黄色で他の２本が白色で表示されており、無線ＬＡＮ規格の文字「１１ｂ」が表示されている。次の無線ＬＡＮ接続していないアンテナ状態(4) では、４本の全てのアンテナがグレーで表示されている。次の電波が停止しているアンテナ状態(5) では、４本のアンテナ（白色）上に停止マーク（赤色）が表示されている。ここでアンテナ表示の背景は全て水色で表示されている。
【００１９】
アイコン表示の無線ＬＡＮ規格「IEEE802.11g 」の電波環境が良好な状態(1) では、４本のアンテナのアイコンが全て濃いグリーンで表示されており、無線ＬＡＮ規格の文字「１１ｇ」が表示されている。次の電波環境が普通の状態のアンテナ状態(2) では、３本のアンテナが濃いグリーンで他の１本が白色で表示され、無線ＬＡＮ規格の文字「１１ｇ」が表示されている。次の電波環境が弱い状態、又は、電波が干渉しているアンテナ状態(3) では、２本のアンテナ（小さい２本）が黄色で他の２本が白色で表示されており、無線ＬＡＮ規格の文字「１１ｇ」が表示されている。次の無線ＬＡＮ接続していないアンテナ状態(4) では、４本の全てのアンテナがグレーで表示されている。次の電波が停止しているアンテナ状態(5) では、４本のアンテナ（白色）上に停止マーク（赤色）が表示されている。ここでアンテナ表示の背景は全て水色で表示されている。
【００２０】
アイコン表示の無線ＬＡＮ規格「IEEE802.11a 」の電波環境が良好な状態(1) では、４本のアンテナのアイコンが全てピンクで表示されており、無線ＬＡＮ規格の文字「１１ａ」が表示されている。次の電波環境が普通の状態のアンテナ状態(2) では、３本のアンテナがピンクで他の１本が白色で表示され、無線ＬＡＮ規格の文字「１１ａ」が表示されている。次の電波環境が弱い状態、又は、電波が干渉しているアンテナ状態(3) では、２本のアンテナ（小さい２本）が黄色で他の２本が白色で表示されており、無線ＬＡＮ規格の文字「１１ａ」が表示されている。次の無線ＬＡＮ接続していないアンテナ状態(4) では、４本の全てのアンテナがグレーで表示されている。次の電波が停止しているアンテナ状態(5) では、４本のアンテナ（白色）上に停止マーク（赤色）が表示されている。ここでアンテナ表示の背景は全て水色で表示されている。
【００２１】
アイコン表示の無線ＬＡＮ規格「IEEE802.11n 」の電波環境が良好な状態(1) では、４本のアンテナのアイコンが全てブルーで表示されており、無線ＬＡＮ規格の文字「１１ｎ」が表示されている。次の電波環境が普通の状態のアンテナ状態(2) では、３本のアンテナがブルーで他の１本が白色で表示され、無線ＬＡＮ規格の文字「１１ｎ」が表示されている。次の電波環境が弱い状態、又は、電波が干渉しているアンテナ状態(3) では、２本のアンテナ（小さい２本）が黄色で他の２本が白色で表示されており、無線ＬＡＮ規格の文字「１１ｎ」が表示されている。次の無線ＬＡＮ接続していないアンテナ状態(4) では、４本の全てのアンテナがグレーで表示されている。次の電波が停止しているアンテナ状態(5) では、４本のアンテナ（白色）上に停止マーク（赤色）が表示されている。ここでアンテナ表示の背景は全て水色で表示されている。
【００２２】
これらのアイコン表示は、電波環境が弱い状態、又は、電波が干渉しているアンテナ状態(3) と無線ＬＡＮ接続していないアンテナ状態(4) は、無線ＬＡＮ規格に係わらず同じである。これにより、無線ＬＡＮ接続が正常に行われている場合は、文字を読まなくてもアイコンのアンテナの色により無線ＬＡＮ規格を容易に判断することができる。
【００２３】
なお、上記説明では、電波接続状態のアイコン表示として、アンテナの数の変化で表示を行ったが、一つのアンテナの高さ又は幅の変化で表示を行うこともできる。
【００２４】
（３）：フローチャートによる説明
図３はアイコン表示処理フローチャートである。以下、図３の処理Ｓ１〜Ｓ５に従って説明する。
【００２５】
Ｓ１：ユーザがマウス等の操作部３より無線ＬＡＮとの接続操作を行うと、制御部１は、通信制御部６でアンテナ７から無線ＬＡＮのアクセスポイントとの接続処理を行い、処理Ｓ２に移る。
【００２６】
Ｓ２：制御部１は、通信制御部６で無線ＬＡＮの接続に成功したかどうかを判断する。この判断で、無線ＬＡＮの接続に成功した場合は処理Ｓ３に移り、失敗した場合は処理Ｓ４に移る。
【００２７】
Ｓ３：制御部１は、通信制御部６で無線ＬＡＮのアクセスポイントとの接続状態の検出処理（電波状態及び無線ＬＡＮ規格）を行い、処理Ｓ５に移る。なお、無線ＬＡＮ規格は、アクセスポイントとの接続が成功した場合に相手から通知されるものである。また、ここで通信装置を通信可能な通信速度（速い規格）に設定しておくことにより、電波環境やアクセスポイントに応じて自動的に無線ＬＡＮ規格の切り換えが行われるものである。
【００２８】
Ｓ４：制御部１は、通信制御部６で無線ＬＡＮのアクセスポイントとの接続のエラー（電波が停止等の検出）処理を行い、処理Ｓ５に移る。
【００２９】
Ｓ５：制御部１は、表示制御部４により表示部５のアイコンに電波接続状態及び無線ＬＡＮ規格の表示処理及び電波が停止している等のエラー表示処理を行う。
【００３０】
このように、この通信装置のアイコン表示では、新たな表示方法を取り入れることにより、どの無線ＬＡＮ規格で接続しているのかをドライバユーティリティを開くことなく、視覚的に判別可能となり、ユーザのストレスを無くすことが可能となる。また、自分がどの無線ＬＡＮ規格と接続しているかが視覚的に判別できることにより簡単に無線ＬＡＮ規格を使い分けることが可能となりユーザビリティ（使いやすさ）の向上が期待できる。
【００３１】
（４）：プログラムインストールの説明
制御部（制御手段）１、操作部（入力手段）３、表示制御部（表示制御手段）４、通信制御部（通信制御手段）６等はプログラムで構成でき、主制御部（ＣＰＵ）が実行するものであり、主記憶に格納されているものである。このプログラムは、コンピュータ（情報処理装置）で処理されるものである。このコンピュータは、主制御部、主記憶、ファイル装置、表示装置等の出力装置、入力装置などのハードウェアで構成されている。
【００３２】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。  
【図面の簡単な説明】
【００３３】
【図１】本発明の通信装置の説明図である。
【図２】本発明のアイコン表示の説明図である。
【図３】本発明のアイコン表示処理フローチャートである。
【図４】従来例の説明図である。
【符号の説明】
【００３４】
１  制御部（制御手段）
２  記憶部（格納手段）
３  操作部（入力手段）
４  表示制御部（表示制御手段）
５  表示部
６  通信制御部（通信制御手段）
７  アンテナ
【図１】
2009290695.tif 000003
【図２】
2009290695.tif 000004
【図３】
2009290695.tif 000005
【図４】
2009290695.tif 000006